【手続補正書】
【提出日】平成27年12月9日(2015.12.9)
【手続補正１】
【補正対象書類名】特許請求の範囲
【補正対象項目名】全文
【補正方法】変更
【補正の内容】
【特許請求の範囲】
【請求項１】
オリジナル画像を印刷することで得られる印刷物に対しての手書きコメント情報を、前記手書きコメント情報の座標情報と共に入力する手書きコメント入力手段と、
ユーザ指示に基づいて、前記手書きコメント情報に対する電子コメント情報を入力する電子コメント入力手段と、
前記手書きコメント入力手段で入力された手書きコメント情報と、前記電子コメント入力手段で入力された電子コメント情報とを、スレッド情報として関連付けて管理するスレッド管理手段と、
前記スレッド情報について、前記オリジナル画像の中で近傍に存在するパターンの特徴パターン情報を検出し、該特徴パターン情報を前記スレッド情報と関連付けて管理する特徴パターン管理手段と、
前記スレッド管理手段で管理されるスレッド情報を、前記印刷物を撮像することによって得られる画像の上に、スレッド表示するスレッド表示手段とを有し、
前記スレッド情報のスレッド表示は、前記スレッド情報の指定の位置から前記パターンに向けて表示させることを特徴とする情報処理システム。
【請求項２】
前記スレッド表示手段で表示した前記スレッド情報のスレッド表示への入力開始イベントを検知すると電子入力フォームを表示し、入力終了イベントを検知すると表示した前記電子入力フォームを非表示にする電子入力フォームの表示手段をさらに有することを特徴とする請求項１記載の情報処理システム。
【請求項３】
前記電子入力フォームの表示手段は、前記入力開始イベントを検知すると、前記スレッド情報に重ならない位置に電子入力フォームを表示することを特徴とする請求項２記載の情報処理システム。
【請求項４】
前記電子入力フォームは、文字列入力を受け付ける文字列入力部と、前記文字列入力部で入力した文字列で検索する検索部と、参照ファイルを添付する添付部とを有することを特徴とする請求項２記載の情報処理システム。
【請求項５】
前記電子コメント入力手段は、前記電子入力フォームの文字列入力部で入力した文字列を電子コメントとして入力することを特徴とする請求項４記載の情報処理システム。
【請求項６】
前記電子コメント入力手段は、前記電子入力フォームの添付部から参照ファイルを入力し、参照ファイルにアクセスする参照ファイルアイコンを生成することを特徴とする請求項４記載の情報処理システム。
【請求項７】
前記スレッド管理手段は、
スレッド表示手段で表示されたスレッド情報のスレッド表示を含まない領域への入力開始イベントを検知した場合、スレッド情報を新規に生成して、生成したスレッド情報への入力と判定し、
スレッド表示手段で表示されたスレッド情報のスレッド表示を含む領域への入力開始イベントを検知した場合には、スレッド情報を新規に生成せず、該スレッド情報への入力と判定することを特徴とする請求項１記載の情報処理システム。
【請求項８】
前記スレッド管理手段は、前記手書きコメント入力手段で手書きコメントが入力された場合、もしくは、前記電子コメント入力手段で電子コメントが入力された場合、もしくは、前記参照ファイル入力手段で参照ファイルが入力された場合の各々において、前記スレッド情報を更新することを特徴とする請求項１記載の情報処理システム。
【請求項９】
前記スレッド情報は、
スレッドを識別する１つのスレッド識別子と、
１つ以上の手書きコメントもしくは電子コメントから成るコメント情報と、
０以上の参照ファイル情報とを有し、
前記コメント情報は、コメント情報を識別するコメント識別子と、コメントの親子関係を示すコメント親子情報と、参照ファイルを有するか否かを示す参照ファイル有無情報と、コメントデータと、コメントを表示するコメント座標と、コメント表示サイズを示すコメントサイズ情報と、を有し、
前記参照ファイル情報は、参照ファイル情報を識別する参照ファイル識別子と、関連するコメント情報を示す関連コメント情報と、参照ファイルデータと、参照ファイルアイコンを表示する参照ファイルアイコン表示座標と、参照ファイルアイコンの表示サイズを示す参照ファイルアイコン表示サイズ情報とを有することを特徴とする請求項１記載の情報処理システム。
【請求項１０】
前記スレッド情報は、スレッドに含まれるコメント情報を重畳表示の対象とするか否かを示す重畳対象情報を含むことを特徴とする請求項９記載の情報処理システム。
【請求項１１】
情報端末の撮影部で撮影した画像にスレッド情報を重畳表示する重畳表示手段を有することを特徴とする請求項１記載の情報処理システム。
【請求項１２】
情報端末の撮影部で撮影した画像から特徴パターンを検出し、検出した特徴パターンに対応するスレッド情報を重畳表示する重畳表示手段を有することを特徴とする請求項１１記載の情報処理システム。
【請求項１３】
前記重畳対象情報で重畳表示の対象となっている手書きコメントおよび電子コメントおよび参照ファイルのみ重畳表示することを特徴とする請求項１０記載の情報処理システム。 
【請求項１４】
前記オリジナル画像と前記スレッド情報とを合成した印刷データを生成する生成手段を有することを特徴とする請求項１記載の情報処理システム。
【請求項１５】
オリジナル画像を印刷することで得られる印刷物に対しての手書きコメント情報を、前記手書きコメント情報の座標情報と共に入力する手書きコメント入力工程と、
ユーザ指示に基づいて、前記手書きコメント情報に対する電子コメント情報を入力する電子コメント入力工程と、
前記手書きコメント入力工程で入力された手書きコメント情報と、前記電子コメント入力工程で入力された電子コメント情報とを、スレッド情報として関連付けて管理するスレッド管理工程と、
前記スレッド情報について、前記オリジナル画像の中で近傍に存在するパターンの特徴パターン情報を検出し、該特徴パターン情報を前記スレッド情報と関連付けて管理する特徴パターン管理工程と、
前記スレッド管理工程で管理されるスレッド情報を、前記印刷物を撮像することによって得られる画像の上に、スレッド表示するスレッド表示工程とを有し、
前記スレッド情報のスレッド表示は、前記スレッド情報の始点の位置から前記パターンに向けて表示されることを特徴とする情報処理方法。
【請求項１６】
請求項１乃至１４のいずれか一項に記載の情報処理システムとしてコンピュータを機能させるためのプログラム。
【手続補正２】
【補正対象書類名】明細書
【補正対象項目名】発明の名称
【補正方法】変更
【補正の内容】
【発明の名称】情報処理システム、情報処理方法及びプログラム
【手続補正３】
【補正対象書類名】明細書
【補正対象項目名】０００８
【補正方法】変更
【補正の内容】
【０００８】
オリジナル画像を印刷することで得られる印刷物に対しての手書きコメント情報を、前記手書きコメント情報の座標情報と共に入力する手書きコメント入力手段と、
ユーザ指示に基づいて、前記手書きコメント情報に対する電子コメント情報を入力する電子コメント入力手段と、
前記手書きコメント入力手段で入力された手書きコメント情報と、前記電子コメント入力手段で入力された電子コメント情報とを、スレッド情報として関連付けて管理するスレッド管理手段と、
前記スレッド情報について、前記オリジナル画像の中で近傍に存在するパターンの特徴パターン情報を検出し、該特徴パターン情報を前記スレッド情報と関連付けて管理する特徴パターン管理手段と、
前記スレッド管理手段で管理されるスレッド情報を、前記印刷物を撮像することによって得られる画像の上に、スレッド表示するスレッド表示手段とを有し、
前記スレッド情報のスレッド表示は、前記スレッド情報の指定の位置から前記パターンに向けて表示させる。